(57)【要約】      （修正有）【課題】導電材料で形成されたロゴタイプを配置する場合におけるデザイン上の制約を低減した衛星電波時計を提供する。【解決手段】衛星電波時計１は、衛星電波を受信するパッチアンテナ３０と、パッチアンテナ３０の受信面側に配置され、平面視において、少なくともパッチアンテナ３０の電極面と重畳し、少なくとも一部が導電材料で形成されたロゴタイプ２６と、を有し、ロゴタイプ２６における導電材料で形成された導電部分のうち、平面視において電極面と重畳する部分は、電極面における電界強度及び磁界強度の少なくともいずれかが最大値より３ｄＢ以上小さくなる領域に配置される。【選択図】図１
2019053071.tif 000002
【特許請求の範囲】
【請求項１】
衛星電波を受信するパッチアンテナと、
前記パッチアンテナの受信面側に配置され、平面視において、少なくとも前記パッチアンテナの電極面と重畳し、少なくとも一部が導電材料で形成されたロゴタイプと、を有し、
前記ロゴタイプにおける導電材料で形成された導電部分のうち、平面視において前記電極面と重畳する部分は、前記電極面における電界強度及び磁界強度の少なくともいずれかが最大値より３ｄＢ以上小さくなる領域に配置される衛星電波時計。
【請求項２】
前記ロゴタイプは、非導電材料で形成される非導電部分を含み、
前記非導電部分は、平面視において、前記周縁と重畳する請求項１に記載の衛星電波時計。
【請求項３】
平面視において前記導電部分を包絡する最小凸図形の面積は、前記電極面の面積に対して７０％以下である請求項１又は２に記載の衛星電波時計。
【請求項４】
太陽電池をさらに有し、
前記ロゴタイプは、平面視において、前記太陽電池と重畳しない位置に配置される請求項１から３のいずれか一項に記載の衛星電波時計。
【発明の詳細な説明】
【技術分野】
【０００１】
本発明は衛星電波時計に関する。
【背景技術】
【０００２】
時刻情報を含む衛星電波を受信して、時刻の修正を行う衛星電波時計が知られている。衛星電波時計は、パッチアンテナにより衛星電波を受信する場合がある。
【０００３】
下記特許文献１には、平面視において、電池とパッチアンテナが中心軸上に並べて配置され、デコード回路が中心軸の一方の側に配置され、コントローラが中心軸の他方の側に配置された電波腕時計が開示されている。同文献には、竜頭等の容積の大きい金属部材をパッチアンテナに対し遠方に配置して、パッチアンテナの受信性能の低下を防止する旨が記載されている。
【先行技術文献】
【特許文献】
【０００４】
【特許文献１】特開２０１１−２０８９４４号公報
【発明の概要】
【発明が解決しようとする課題】
【０００５】
パッチアンテナは、ＧＰＳ（Global Positioning System）衛星等から送信される高周波数帯の電波を受信するのに適したアンテナであるが、パッチアンテナの周囲に導電部材等が配置される場合、導電部材によって衛星電波が反射されたり、吸収されたりすることがあり、その受信性能が十分に発揮されない場合がある。
【０００６】
ここで、製品名や社名等を表すロゴタイプは、装飾性の観点から導電材料で形成される場合があり、受信性能に対する影響への懸念からパッチアンテナ近傍に配置しがたく、デザイン上の制約となっていた。
【０００７】
本発明はかかる事情に鑑みてなされたものであり、その目的は、導電材料で形成されたロゴタイプを配置する場合におけるデザイン上の制約を低減した衛星電波時計を提供することである。
【課題を解決するための手段】
【０００８】
上記課題を解決すべく本出願において開示される発明は種々の側面を有しており、それら側面の代表的なものの概要は以下の通りである。
【０００９】
（１）衛星電波時計は、衛星電波を受信するパッチアンテナと、前記パッチアンテナの受信面側に配置され、平面視において、少なくとも前記パッチアンテナの電極面と重畳し、少なくとも一部が導電材料で形成されたロゴタイプと、を有し、前記ロゴタイプにおける導電材料で形成された導電部分のうち、平面視において前記電極面と重畳する部分は、前記電極面における電界強度及び磁界強度の少なくともいずれかが最大値より３ｄＢ以上小さくなる領域に配置される。
【００１０】
（２）（１）において、前記ロゴタイプは、非導電材料で形成される非導電部分を含み、前記非導電部分は、平面視において、前記周縁と重畳する衛星電波時計。
【００１１】
（３）（１）又は（２）において、平面視において前記導電部分を包絡する最小凸図形の面積は、前記電極面の面積に対して７０％以下である衛星電波時計。
【００１２】
（４）（１）乃至（３）のいずれか１項において、太陽電池をさらに有し、前記ロゴタイプは、平面視において、前記太陽電池と重畳しない位置に配置される衛星電波時計。
【発明の効果】
【００１３】
上記本発明の（１）の側面によれば、導電材料で形成されたロゴタイプを配置する場合におけるデザイン上の制約を低減した衛星電波時計が得られる。
【００１４】
また、上記本発明の（２）の側面によれば、パッチアンテナの電極面の周縁の長さと同程度かそれ以上の大きさのロゴタイプを配置することができる衛星電波時計が得られる。
【００１５】
また、上記本発明の（３）の側面によれば、導電材料で形成されたロゴタイプを配置する場合であっても、衛星電波の反射や遮蔽が低減された衛星電波時計が得られる。
【００１６】
また、上記本発明の（４）の側面によれば、ロゴタイプを配置する場合であっても、発電量の低下が防止された衛星電波時計が得られる。
【図面の簡単な説明】
【００１７】
【図１】本発明の実施形態に係る衛星電波腕時計の外観の一例を示す平面図である。
【図２】本発明の実施形態に係る衛星電波腕時計に内蔵されるパッチアンテナの斜視図である。
【図３】本発明の実施形態に係る衛星電波腕時計の第１の変形例におけるロゴタイプの配置を示す平面図である。
【図４】本発明の実施形態に係る衛星電波腕時計の第２の変形例におけるロゴタイプの配置を示す平面図である。
【図５】本発明の実施形態に係る衛星電波腕時計に内蔵されるパッチアンテナの電極面における電界強度を示す平面図である。
【図６】本発明の実施形態に係る衛星電波腕時計に内蔵されるパッチアンテナの電極面における磁界強度を示す平面図である。
【図７】本発明の実施形態に係る衛星電波腕時計のロゴタイプを包絡する最小凸図形を示す平面図である。
【発明を実施するための形態】
【００１８】
以下、本発明の実施の形態について、図面を参照しながら説明する。
【００１９】
図１は、本発明の実施形態に係る衛星電波腕時計１の外観の一例を示す平面図である。同図には、衛星電波腕時計１の外装（時計ケース）である胴１０内に配置された文字板１２と、時刻を示す指針である時針２２、分針２０及び秒針２４と、パッチアンテナ３０が示されている。文字板１２上には、平面視においてパッチアンテナ３０と重畳する位置に、導電材料で形成され、「ＣＩＴＩＺＥＮ」の文字であるロゴタイプ２６が形成されている。また、胴１０の側面には、衛星電波腕時計１の使用者が種々の操作を行うための操作部である竜頭１４、第１プッシュボタン１６及び第２プッシュボタン１８が配置されている。
【００２０】
衛星電波腕時計１には、文字板１２を覆うようにガラス等の透明材料により形成された風防が胴１０に取り付けられている。また、風防の反対側においては裏蓋が胴１０に取り付けられている。本明細書では、以降、衛星電波腕時計１の風防が配置される方向（図１における紙面手前方向）を表側、裏蓋が配置される方向（図１における紙面奥方向）を裏側と呼ぶ。
【００２１】
文字板１２の裏側には、太陽電池４２が配置され、表側から入光した光により発電がなされる。そのため、文字板１２はある程度光線を透過する材質で形成される。ここで、ロゴタイプ２６は、平面視において、太陽電池４２と重畳しない位置に配置される。これにより、ロゴタイプ２６を配置する場合であっても、発電量の低下が防止される。また、パッチアンテナ３０は、表側の面が衛星からの電波を受信する受信面となっている。パッチアンテナ３０の受信面、太陽電池４２の受光面、文字板１２は、互いに平行に設けられており、いずれも表側を向いている。
【００２２】
なお、本明細書では、衛星電波腕時計という用語を、腕時計であって、かつ、ＧＰＳ（Global Positioning System）衛星などの日付や時刻に関する情報（時刻情報）を送信する衛星から当該衛星信号を受信し、それに含まれる時刻情報に基づき、腕時計内部に保持している時刻の情報である内部時刻を修正する機能を有している腕時計を指すものとして用いる。但し、本発明は衛星電波腕時計に限らず、腕時計ではない小型の時計、例えば懐中時計に適用することもできる。また、衛星電波腕時計は、衛星信号に含まれる軌道情報も併せて受信してもよい。なお、衛星電波腕時計が受信する衛星信号を発信する衛星は、ＧＰＳ衛星以外に運用され、又は将来的に運用が計画されている衛星、例えば、グロナス、ガリレオ、コンパス（北斗）等であってもよい。
【００２３】
ＧＰＳ衛星から送信される衛星電波は、周波数約１．６ＧＨｚの搬送波（Ｌ１帯の電波）を位相偏位変調により変調した電波である。衛星電波に符号化される信号は、各ＧＰＳ衛星に固有の擬似乱数（Pseudo Random Number、ＰＲＮ）と、時刻情報を含む衛星信号とを重畳した信号である。衛星電波腕時計１は、複数の衛星から送信される複数の衛星電波を受信して、いずれの衛星のＰＲＮとの相関が大きいかを判定することにより、受信された複数の衛星電波それぞれが、いずれの衛星から送信されたものであるかを判別する。本明細書では、このような衛星の判別処理を衛星電波の追尾と呼ぶ。衛星信号には時刻情報が含まれ、時刻情報は、週の始まり（日曜日の午前０：００）を起点とした現在時刻を示すＴＯＷ（Time Of Week）と、所定の基準時点から数えて現在が第何週かを示す週番号ＷＮと、から構成されている。そのため、衛星電波腕時計１は、場合によって、ＴＯＷだけを受信することもあれば、ＴＯＷと週番号ＷＮとを併せて受信することもある。また、ＧＰＳ時刻は、協定世界時に対して閏秒に起因するずれがあるため、ＧＰＳ衛星は、このずれを補正するための閏秒情報も送信している。そのため、衛星電波腕時計１は、ＧＰＳ衛星から閏秒情報も受信する。さらに、衛星信号には軌道情報が含まれる。軌道情報は、全衛星の軌道情報であるアルマナックと、各衛星の軌道情報であるエフェメリスと、から構成されている。衛星電波腕時計１は、受信した軌道情報に基づいて上空を周回する複数のＧＰＳ衛星からの距離を算出し、現在位置の緯度、経度及び高度を算出し、現在位置のタイムゾーンを判定してもよい。
【００２４】
図１に示した衛星電波腕時計１のデザインは一例である。ここで示したもの以外にも、例えば、胴１０を丸型でなく角型にしてもよいし、竜頭１４や第１プッシュボタン１６及び第２プッシュボタン１８の有無、数、配置は任意である。また、本実施形態では、指針を時針２２、分針２０、秒針２４の３本としているが、これに限定されず、秒針２４を省略しても、あるいは、曜日、タイムゾーンの別やサマータイムの有無、電波の受信状態や電池の残量、各種の表示を行う指針や、日付表示等を追加したりしてもよい。
【００２５】
図２は、本発明の実施形態に係る衛星電波腕時計１に内蔵されるパッチアンテナ３０の斜視図である。本実施形態におけるパッチアンテナ３０は、いわゆる面実装型であり、同図に示すように、セラミックス等の適宜の誘電体により形成された扁平な直方体形状のボディ３６の上面に矩形の電極面３８が形成され、またボディ３６の下面には１の給電電極３２と、７か所のグラウンド電極３４が形成されている。給電電極３２は、ボディ３６の側面に設けられたストリップ電極３３と連続して繋がっている。そして、ストリップ電極３３は電極面３８と近接し容量結合している。したがって、電極面３８により受信された衛星電波は、かかる容量結合を介してストリップ電極３３に伝達され、給電電極３２より取り出すことができる。また、ボディ３６の下面には、電極面３８に対する対向電極として、下面のほぼ全面を覆うベタ電極が形成され、さらに当該ベタ電極の一部を露出するようなパターンを有する絶縁膜が設けられる。７つのグラウンド電極３４は、当該絶縁膜が設けられない領域において露出しているベタ電極であり、互いに電気的に接続している。
【００２６】
本実施形態に係る衛星電波腕時計１において、ロゴタイプ２６は、パッチアンテナ３０の受信面側に配置され、平面視において、少なくともパッチアンテナ３０の電極面３８と重畳し、少なくとも一部が導電材料で形成される。そして、ロゴタイプ２６は、導電材料で形成された導電部分が、電極面３８の周縁と重畳しないように設けられる。具体的に、本実施形態におけるロゴタイプ２６は、その全体が金属薄膜により形成され、金属光沢による装飾性を有する文字である。すなわち、本実施形態におけるロゴタイプ２６は、その全体が導電部分である。なお、ロゴタイプ２６は、文字に限られず、図形であってもよいし、文字と図形の組合せであってもよい。また、本実施形態におけるロゴタイプ２６は、平面視において、その全体が電極面３８と重畳する位置であって、電極面３８の周縁と重畳しない位置に配置される。
【００２７】
従来、導電材料で形成されたロゴタイプは、パッチアンテナの受信面から離れた位置に設けて、パッチアンテナによる衛星電波の受信を妨げないようにする場合があった。そのため、ロゴタイプを配置する場合におけるデザイン上の制約が存在した。しかしながら、後述するように、パッチアンテナの電極面のうち衛星電波の受信に大きく寄与する部分は、電極面の周縁部分である。そこで、本実施形態におけるロゴタイプ２６では、平面視において、その全体を電極面３８と重畳する位置であって、電極面３８の周縁と重畳しない位置に配置することで、衛星電波の受信感度を実質的に低下させることなく、デザイン上の制約を低減している。
【００２８】
図３は、本発明の実施形態に係る衛星電波腕時計１の第１の変形例におけるロゴタイプ２６の配置を示す平面図である。本変形例におけるロゴタイプ２６は、「−ＣＩＴＩＺＥＮ−」の文字であり、図１に示す実施形態の場合と比較して、「ＣＩＴＩＺＥＮ」という文字部分の前後にハイフンが付加されている点で異なる。ロゴタイプ２６以外の衛星電波腕時計１の構成は、本変形例と図１に示す実施形態とで同様である。
【００２９】
本変形例におけるロゴタイプ２６は、パッチアンテナ３０の受信面側に配置され、平面視において、少なくともパッチアンテナ３０の電極面３８と重畳し、少なくとも一部が導電材料で形成される。また、本変形例におけるロゴタイプ２６は、平面視においてパッチアンテナ３０の電極面３８と重畳する部分の長さの、電極面３８の周縁の長さに対する割合が５％以下である。具体的に、本実施形態におけるロゴタイプ２６は、その全体が金属薄膜により形成され、平面視においてパッチアンテナ３０の電極面３８と重畳する部分の長さがＬ１、パッチアンテナ３０の電極面３８の長さがＬであり、電極面３８が略正方形状であるとすると、上記条件は、２Ｌ１／４Ｌ≦５％と表すことができる。
【００３０】
本変形例に係る衛星電波腕時計１によれば、ロゴタイプが導電材料で形成される場合であっても、平面視においてロゴタイプの一部がパッチアンテナの電極面の周縁に重畳することが許容され、ロゴタイプを配置する場合におけるデザイン上の制約がさらに低減される。後述するように、パッチアンテナによる送受信の際の受信感度は、電極面３８の周縁近傍の寄与がほとんどであり、ロゴタイプ２６の導電部分のうち周縁と重畳する部分はなるべく小さい方が望ましい。しかしながら、本発明の発明者の検討によれば、ロゴタイプの導電部分のうち、平面視においてパッチアンテナの電極面と重畳する部分の長さが、電極面の周縁の長さの５％以下であれば、衛星電波の受信感度は実質的に低下せず、良好な受信感度とロゴタイプのデザイン性を両立させることができる。
【００３１】
図４は、本発明の実施形態に係る衛星電波腕時計１の第２の変形例におけるロゴタイプ２６の配置を示す平面図である。本変形例におけるロゴタイプは、「ＣＩＴＩＺＥＮ」の文字であり、非導電材料で形成された「Ｃ」の文字である第１非導電部分２６ａと、導電材料で形成された「ＩＴＩＺＥ」の文字である導電部分２６ｂと、非導電材料で形成された「Ｎ」の文字である第２非導電部分２６ｃとで構成されている。本変形例におけるロゴタイプは、図１に示す実施形態の場合と比較して、第１非導電部分２６ａ及び第２非導電部分２６ｃを含む点で異なる。また、本変形例におけるロゴタイプは、図１に示す実施形態の場合と比較して、大型である。ロゴタイプ以外の衛星電波腕時計１の構成は、本変形例と図１に示す実施形態とで同様である。
【００３２】
本変形例におけるロゴタイプのうち、第１非導電部分２６ａ及び第２非導電部分２６ｃは、平面視において、パッチアンテナ３０の電極面３８の周縁と重畳する。一方、導電部分２６ｂは、電極面３８の周縁と重畳しないように設けられる。第１非導電部分２６ａ及び第２非導電部分２６ｃは、非導電材料で形成されるため、どのような位置に配置しても、パッチアンテナ３０による衛星電波の受信にほとんど影響を与えない。
【００３３】
本変形例に係る衛星電波腕時計１は、第１非導電部分２６ａ及び第２非導電部分２６ｃを含むことにより、パッチアンテナによる衛星電波の受信感度を低下させることなく、ロゴタイプのデザイン上の自由度を向上させることができる。第１の変形例におけるロゴタイプによれば、導電材料で形成されたロゴタイプの一部を、電極面の周縁に重畳させることが許容されたが、本変形例によれば、パッチアンテナの電極面の周縁の長さと同程度かそれ以上の大きさのロゴタイプを配置することができる。より詳しくは、パッチアンテナの電極面３８の周縁の長さに対し、５％をこえる長さにわたり、電極面３８の周縁と重畳する大型のロゴタイプ２６を配置することができる。
【００３４】
図５は、本発明の実施形態に係る衛星電波腕時計１に内蔵されるパッチアンテナ３０の電極面３８における電界強度を示す平面図である。衛星電波を受信する際、パッチアンテナ３０の電極面３８には、衛星電波に応じた電界が発生する。電界は、電極面３８の角部分で最も強度が強い。図５は、電極面３８における電界の強度を、角部分における最大値を基準として、デシベルの単位で図示したものである。同図に示す二点鎖線は、電界強度の等しい点を結んだ等強度線である。
【００３５】
電界強度は、電極面３８の４つの角部分の近傍において、−３ｄｂだけ強度が落ちる。すなわち、最大値と比較して強度が２分の１となる。また、同図では、電極面３８を横断するように存在する−９ｄＢの等強度線を示している。さらに、同図では、電極面３８を横断するように存在する−２７ｄＢの等強度線を示している。
【００３６】
本実施形態におけるロゴタイプ２６の導電部分のうち、平面視において電極面３８と重畳する部分は、電極面３８における電界強度が最大値より３ｄＢ以上小さくなる領域に配置される。さらに、ロゴタイプ２６の導電部分のうち、平面視において電極面３８と重畳する部分は、電極面３８における電界強度が最大値より９ｄＢ以上小さくなる領域に配置されることが望ましい。本実施形態におけるロゴタイプ２６は、その全体が導電部分であり、平面視において電極面３８と重畳する領域であって、電極面３８における電界強度が最大値より９ｄＢ以上小さくなる領域にその全体が配置される。
【００３７】
本実施形態に係る衛星電波腕時計１によれば、導電材料で形成されたロゴタイプを配置する場合であっても、受信感度が良好に保たれる。本実施形態において、ロゴタイプの導電部分は、電極面における電界強度が最大値より９ｄＢ以上小さくなる領域に配置される。従って、導電部分と重畳する領域に生じる電界の強度は、その最大値と比較して７．９５分の１以下でしかなく、パッチアンテナによる衛星電波の受信に与える影響はほとんどない。
【００３８】
図６は、本発明の実施形態に係る衛星電波腕時計１に内蔵されるパッチアンテナ３０の電極面３８における磁界強度を示す平面図である。衛星電波を受信する際、パッチアンテナ３０の電極面３８には、衛星電波に応じた磁界が発生する。磁界は、電極面３８の周縁の中央部分で最も強度が強い。図６は、電極面３８における磁界の強度を、周縁の中央部分における最大値を基準として、デシベルの単位で図示したものである。同図に示す二点鎖線は、磁界強度の等しい点を結んだ等強度線である。
【００３９】
磁界強度は、電極面３８の周縁の２つの中央部分の近傍において、−３ｄｂだけ強度が落ちる。すなわち、最大値と比較して強度が２分の１となる。また、同図では、電極面３８を横断するように存在する−９ｄＢの等強度線を示している。さらに、同図では、電極面３８を横断するように存在する−２７ｄＢの等強度線を示している。
【００４０】
本実施形態におけるロゴタイプ２６の導電部分のうち、平面視において電極面３８と重畳する部分は、電極面３８における磁界強度が最大値より３ｄＢ以上小さくなる領域に配置される。さらに、ロゴタイプ２６の導電部分のうち、平面視において電極面３８と重畳する部分は、電極面３８における磁界強度が最大値より９ｄＢ以上小さくなる領域に配置されることが望ましい。本実施形態におけるロゴタイプ２６は、その全体が導電部分であり、平面視において電極面３８と重畳する領域であって、電極面３８における磁界強度が最大値より９ｄＢ以上小さくなる領域にその全体が配置される。
【００４１】
本実施形態に係る衛星電波腕時計１によれば、導電材料で形成されたロゴタイプを配置する場合であっても、受信感度が良好に保たれる。本実施形態において、ロゴタイプの導電部分は、電極面における磁界強度が最大値より９ｄＢ以上小さくなる領域に配置される。従って、導電部分と重畳する領域に生じる磁界の強度は、その最大値と比較して７．９５分の１以下でしかなく、パッチアンテナによる衛星電波の受信に与える影響はほとんどない。なお、図５及び６から明らかなように、本実施形態に係る衛星電波腕時計１において、ロゴタイプ２６の導電部分は、電極面３８の電界強度及び磁界強度のそれぞれに対し、その最大値より少なくとも３ｄＢ、好ましくは９ｄＢ以上小さくなる領域に配置されている。これにより、衛星電波の受信に与える影響を極めて小さいものとしている。
【００４２】
図７は、本発明の実施形態に係る衛星電波腕時計１のロゴタイプ２６を包絡する最小凸図形４０を示す平面図である。ロゴタイプ２６を包絡する最小凸図形４０は、「ＣＩＴＩＺＥＮ」の文字であるロゴタイプ２６を包絡する図形のうち、その面積が最小である凸図形である。本明細書において、凸図形とは、図形上の任意の２点を結ぶ直線が、その図形の内部に収まるような平面図形を意味するものとする。
【００４３】
本実施形態におけるロゴタイプ２６は、その全体が導電材料で形成されており、ロゴタイプ２６を包絡する最小凸図形４０の面積は、電極面３８の面積に対して７０％以下である。さらに、ロゴタイプ２６を包絡する最小凸図形４０の面積は、電極面３８の面積に対して５０％以下であることが望ましい。本実施形態おけるロゴタイプ２６を包絡する最小凸図形４０の面積は、電極面３８の面積に対しておおよそ１５％である。
【００４４】
先に述べたように、パッチアンテナによる送受信の際の受信感度には、電極面３８の周縁近傍の寄与が支配的であるが、電極面３８の直上にあまり大きな導電部材を配置すると、予期せぬ衛星電波の反射や干渉、導電部材と電極面３８との容量性結合等による問題が懸念される。この点に関し、本発明の発明者の検討によれば、導電材料で形成されたロゴタイプを配置する場合であっても、衛星電波の反射や遮蔽が低減されることが見出された。すなわち、ロゴタイプを包絡する最小凸図形の面積が、電極面の面積に比べて７０％以下であれば、前述の問題が起こりづらくなり、パッチアンテナによる衛星電波の受信が良好に行えるようになる。
【００４５】
以上示した本発明の実施形態並びにその変形例を含む衛星電波腕時計１を設計する際の指針を以下に示す。なお、これら指針は必ずしも全てが設定される必要はなく、要求される受信性能に応じて適宜採用してもよい。
【００４６】
第１の指針は、衛星電波を受信するパッチアンテナと、前記パッチアンテナの受信面側に配置され、平面視において、少なくとも前記パッチアンテナの電極面と重畳し、少なくとも一部が導電材料で形成されたロゴタイプと、を有し、前記ロゴタイプのうち、導電材料で形成された導電部分が、前記電極面の周縁と重畳しないか、又は重畳する部分の長さの前記周縁の長さに対する割合が５％以下となるように衛星電波時計を設計することである。
【００４７】
第２の指針は、第１の指針に従って設計された衛星電波時計において、前記ロゴタイプは、非導電材料で形成される非導電部分を含み、前記非導電部分は、平面視において、前記周縁と重畳するように設計することである。
【００４８】
第３の指針は、第１又は２の指針に従って設計された衛星電波時計において、前記導電部分のうち、平面視において前記電極面と重畳する部分は、前記電極面における電界強度及び磁界強度の少なくともいずれかが最大値より３ｄＢ以上小さくなる領域に配置されるように設計することである。
【００４９】
第４の指針は、第１乃至３のいずれかの指針に従って設計された衛星電波時計において、平面視において前記導電部分を包絡する最小凸図形の面積は、前記電極面の面積に対して７０％以下であるように設計することである。
【００５０】
第５の指針は、第１の指針に従って設計された衛星電波時計において、太陽電池をさらに有し、前記ロゴタイプは、平面視において、前記太陽電池と重畳しない位置に配置されるように設計することである。
【００５１】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【００５２】
１  衛星電波腕時計、１０  胴、１２  文字板、１４  竜頭、１６  第１プッシュボタン、１８  第２プッシュボタン、２０  分針、２２  時針、２４  秒針、２６  ロゴタイプ、２６ａ  第１非導電部分、２６ｂ  導電部分、２６ｃ  第２非導電部分、３０  パッチアンテナ、３２  給電電極、３３  ストリップ電極、３４  グラウンド電極、３６  ボディ、３８  電極面、４０  包絡形状、４２  太陽電池。
【図１】
2019053071.tif 000003
【図２】
2019053071.tif 000004
【図３】
2019053071.tif 000005
【図４】
2019053071.tif 000006
【図５】
2019053071.tif 000007
【図６】
2019053071.tif 000008
【図７】
2019053071.tif 000009